(57)【要約】【課題】  プログラムの更新にあたり、新たなメッセージを表示することができるカメラを提供する。【解決手段】  メッセージ表示用の文字データを記憶しておくメモリ１０＿５２と、メッセージを表示する液晶モニタ１０＿３４と、表示用の新たなメッセージを表わすメッセージ表示用画像データを記録メディア１０＿５４から取得するＣＰＵ１０＿４７とを備え、プログラムの更新にあたり、画像データに基づく画像およびメモリ１０＿５２に記憶された文字データに基づくメッセージに加え、さらに、取得したメッセージ表示用画像データに基づくメッセージを液晶モニタ１０＿３４に表示する。【選択図】  図５
2006211245.tif 000002
【特許請求の範囲】
【請求項１】
撮像素子上に被写体像を結像して画像データを生成するカメラにおいて、
メッセージ表示用の文字データを記憶しておく記憶部と、
前記画像データに基づく画像および前記文字データに基づくメッセージを表示する表示部と、
表示用の新たなメッセージを表わすメッセージ表示用画像データを外部から取得する取得部とを備え、
前記表示部が、前記画像データに基づく画像および前記記憶部に記憶された文字データに基づくメッセージに加え、さらに、前記取得部で取得したメッセージ表示用画像データに基づくメッセージを表示するものであることを特徴とするカメラ。
【請求項２】
前記取得部は、このカメラの機能追加用あるいは機能改良用のプログラムの取得とともに該プログラムに関連したメッセージ表示用画像データを取得するものであることを特徴とする請求項１記載のカメラ。
【請求項３】
前記取得部は、圧縮形式のメッセージ表示用画像データを取得するものであって、このカメラが、さらに、前記取得部が取得した圧縮形式のメッセージ表示用画像データを解凍する解凍部を備えたことを特徴とする請求項１記載のカメラ。
【請求項４】
前記取得部は、前記表示部に表示される画像のうちの一部領域にのみ対応するメッセージ表示用画像データと、該メッセージ表示用画像データの表示座標を表わす座標データとを取得するものであって、このカメラが、さらに、該メッセージ表示用画像データに基づくメッセージを該座標データに基づく位置に配置した画像を描画する描画部を備えたことを特徴とする請求項１記載のカメラ。
【請求項５】
前記記憶部が、複数の各言語に対応するメッセージ表示用の文字データを記憶しておくものであり、このカメラが、複数の言語の中から所望の言語を選択する選択部を備え、
前記取得部は、取得可能な複数の各言語に対応するメッセージ表示用画像データの中から前記選択部で選択されている言語のメッセージ表示用画像データを選択的に取得するものであることを特徴とする請求項１記載のカメラ。
【請求項６】
前記取得部は、前記表示部に１つの画像として表示されるメッセージのうち、前記記憶部に記憶されている文字データによっては表示不能な一部分のメッセージを表わすメッセージ表示用画像データを取得するものであり、前記記憶部に記憶されている文字データと前記取得部で取得したメッセージ表示用画像データとを組み合わせたメッセージ表示用画像を描画する描画部を備えたことを特徴とする請求項１記載のカメラ。
【発明の詳細な説明】
【技術分野】
【０００１】
本発明は、撮像素子上に被写体像を結像して画像データを生成するカメラに関する。
【背景技術】
【０００２】
近年、ＣＣＤ（Ｃｈａｒｇｅ  Ｃｏｕｐｌｅｄ  Ｄｅｖｉｃｅ）タイプの撮像素子やＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）タイプの撮像素子の発達に伴い、それまでの銀塩写真フィルム上に撮影を行なうタイプのカメラに代わり、これら撮像素子上に被写体像を結像して画像データを生成するカメラが急速に普及してきている。このようなカメラには、液晶モニタが備えられており、撮影にあたり、その撮影の状況に応じて様々なメッセージや操作ガイダンス等を液晶モニタに表示するということが行なわれている。
【０００３】
ここで、液晶モニタに表示されるメッセージにのみ必要な文字データ（フォントデータ）を記憶部に格納することにより、その記憶部の容量を小さく抑えたカメラが提案されている（特許文献１参照）。
【特許文献１】特開２００４−１９２３３０号公報
【発明の開示】
【発明が解決しようとする課題】
【０００４】
上述したカメラにおいて、そのカメラの機能を新たに追加したりあるいはそのカメラの機能を改良するために、そのカメラのプログラムを更新（アップデート）する場合がある。このような場合、カメラが発売された時点では備えられていない新たなメッセージを表示することが必要な場合がある。
【０００５】
しかし、特許文献１に提案された技術は、カメラが発売された時点におけるメッセージ表示用の文字データのみを記憶部に格納する技術であるため、プログラムを更新するために必要とされる新たなメッセージを表示することは困難であるという問題がある。
【０００６】
本発明は、上記事情に鑑み、プログラムの更新にあたり、新たなメッセージを表示することができるカメラを提供することを目的とする。
【課題を解決するための手段】
【０００７】
上記目的を達成する本発明のカメラは、撮像素子上に被写体像を結像して画像データを生成するカメラにおいて、
メッセージ表示用の文字データを記憶しておく記憶部と、
上記画像データに基づく画像および上記文字データに基づくメッセージを表示する表示部と、
表示用の新たなメッセージを表わすメッセージ表示用画像データを外部から取得する取得部とを備え、
上記表示部が、上記画像データに基づく画像および上記記憶部に記憶された文字データに基づくメッセージに加え、さらに、上記取得部で取得したメッセージ表示用画像データに基づくメッセージを表示するものであることを特徴とする。
【０００８】
従来のカメラは、メッセージを表示するにあたり、そのメッセージを構成している文字データを記憶部に格納しておき、その文字データを読み出して組み合わせることによりそのメッセージを表示するものである。このため、例えばカメラのプログラムを更新するにあたり、新たなメッセージを表示したい場合、そのメッセージを表示するために必要な文字データが記憶部に格納されていないと、そのメッセージを表示させることはできないという問題がある。
【０００９】
本発明のカメラは、表示用の新たなメッセージを表わすメッセージ表示用画像データを外部から取得し、画像データに基づく画像および記憶部に記憶された文字データに基づくメッセージに加え、さらに、その取得したメッセージ表示用画像データに基づくメッセージを表示するものである。このため、カメラのプログラムを更新するにあたり、新たなメッセージを表示する場合であって、そのメッセージを表示するために必要な文字データが記憶部に記憶されていない場合であっても、その新たなメッセージを表わすメッセージ表示用画像データを外部から取得し、その取得したメッセージ表示用画像データに基づいて新たなメッセージを表示することができる。
【００１０】
ここで、上記取得部は、このカメラの機能追加用あるいは機能改良用のプログラムの取得とともにそのプログラムに関連したメッセージ表示用画像データを取得するものであることが好ましい。
【００１１】
このようにすると、カメラの機能追加用や機能改良用のプログラムの更新にあたり、そのプログラムに関連した新たなメッセージを表示することができる。
【００１２】
また、上記取得部は、圧縮形式のメッセージ表示用画像データを取得するものであって、このカメラが、さらに、上記取得部が取得した圧縮形式のメッセージ表示用画像データを解凍する解凍部を備えたものであることも好ましい。
【００１３】
表示用の新たなメッセージを表わすメッセージ表示用画像データを外部から取得するにあたり、例えばインターネット経由でダウンロードして取得するということが行なわれる。この場合、メッセージ表示用画像データのサイズは小さいほうが好ましい。そこで、圧縮形式のメッセージ表示用画像データを取得し、表示部に表示するにあたり圧縮形式のメッセージ表示用画像データを解凍する構成にすると、外部から取得するメッセージ表示用画像データのサイズを小さく抑えることができる。
【００１４】
さらに、上記取得部は、上記表示部に表示される画像のうちの一部領域にのみ対応するメッセージ表示用画像データと、そのメッセージ表示用画像データの表示座標を表わす座標データとを取得するものであって、このカメラが、さらに、そのメッセージ表示用画像データに基づくメッセージをその座標データに基づく位置に配置した画像を描画する描画部を備えたものであることも好ましい。
【００１５】
このようにすると、空き領域を含む１画面分のメッセージ表示用画像データを外部から取得する必要もなく、従って外部から取得するメッセージ表示用画像データのサイズを小さく抑えることができる。
【００１６】
また、上記記憶部が、複数の各言語に対応するメッセージ表示用の文字データを記憶しておくものであり、このカメラが、複数の言語の中から所望の言語を選択する選択部を備え、
上記取得部は、取得可能な複数の各言語に対応するメッセージ表示用画像データの中から上記選択部で選択されている言語のメッセージ表示用画像データを選択的に取得するものであることも好ましい。
【００１７】
このようにすると、プログラムの更新にあたり、選択されている言語に対応する言語で新たなメッセージを表示させることができる。
【００１８】
さらに、上記取得部は、上記表示部に１つの画像として表示されるメッセージのうち、上記記憶部に記憶されている文字データによっては表示不能な一部分のメッセージを表わすメッセージ表示用画像データを取得するものであり、上記記憶部に記憶されている文字データと上記取得部で取得したメッセージ表示用画像データとを組み合わせたメッセージ表示用画像を描画する描画部を備えたものであることも好ましい。
【００１９】
このようにすると、取得した表示不能な一部分のメッセージを表わすメッセージ表示用画像データを、記憶部に記憶されている文字データで置き換えることができ、従って外部から取得するメッセージ表示用画像データを削減することができる。
【発明の効果】
【００２０】
本発明のカメラによれば、プログラムの更新にあたり、新たなメッセージを表示することができる。
【発明を実施するための最良の形態】
【００２１】
以下、本発明の実施の形態について説明する。
【００２２】
図１は、本発明のカメラの第１実施形態であるデジタルカメラを前面斜め上から見た外観斜視図である。
【００２３】
図１に示すデジタルカメラ１０の前面中央部には、光学ズームレンズである撮影レンズ１０＿１ａを内部に備えたズーム鏡胴１０＿１が備えられている。また、このデジタルカメラ１０の前面上部には、撮影に同期してフラッシュ光を発するフラッシュ発光装置１０＿２と、フラッシュ発光装置１０＿２からのフラッシュ光の光量を制御するためにそのフラッシュ光の光量を検出するフラッシュ調光センサ１０＿３と、光学式ファインダ対物窓１０＿４とが備えられている。
【００２４】
また、このデジタルカメラ１０の前面左側には、このデジタルカメラ１０を確実に握ることができる形状を有するグリップ１０＿５と、セルフタイマ作動時等に点滅するセルフタイマランプ１０＿６と、音声をピックアップするマイクロホン１０＿７とが備えられている。
【００２５】
さらに、このデジタルカメラ１０の上面には、シャッタボタン１０＿８と、各種の設定を行なうためのモードダイヤル１０＿９と、電源ボタン１０＿１０とが備えられている。
【００２６】
また、このデジタルカメラ１０の図１に示す右側面には、スピーカ１０＿１１が備えられている。
【００２７】
図２は、図１に示すデジタルカメラを上から見た外観図である。
【００２８】
このデジタルカメラ１０には、前述したフラッシュ発光装置１０＿２，シャッタボタン１０＿８，モードダイヤル１０＿９，電源ボタン１０＿１０に加えて、このデジタルカメラ１０の上方から下方に向けて設けられた斜面部に、フラッシュ発光装置１０＿２をポップアップするためのポップアップボタン１０＿１２が備えられている。また、モードダイヤル１０＿９には、オートモードを示す文字ＡＵＴＯ、プログラムオートモードを示すＰ、シャッタスピード優先オートモードを示すＳ、絞り優先オートモードを示すＡ、マニュアルモードを示すＭ、動画モードを示す絵柄、および４つのシーンポジション（夜景、スポーツ、風景、人物のシーンポジション）を示す４つの絵柄が印刷されている。このモードダイヤル１０＿９を回転操作することにより、所望のモードに設定することができる。ここで、各モードについて説明する。
【００２９】
オートモード（ＡＵＴＯ）は、カメラ側で露出やホワイトバランス等全てを制御するためのモードである。
【００３０】
プログラムオートモード（Ｐ）は、シャッタスピードと絞りを自動的に設定するためのモードである。
【００３１】
シャッタスピード優先オートモード（Ｓ）は、シャッタスピードを優先的に設定するためのモードである。
【００３２】
絞り優先オートモード（Ａ）は、絞りを優先的に設定するためのモードである。
【００３３】
マニュアルモード（Ｍ）は、シャッタスピードと絞りを自由に設定するためのモードである。
【００３４】
マニュアルモード（Ｍ）の隣りの絵柄で示される動画モードは、動画撮影用のモードである。
【００３５】
また、この動画モードから見て時計回りに４つの撮影シーン（夜景、スポーツ、風景、人物）を選択するための４つのシーンポジションモードがある。
【００３６】
夜景用のシーンポジションモードは、夕景や夜景などの雰囲気を活かした撮影に好適なモードである。
【００３７】
スポーツ用のシーンポジションモードは、スポーツシーンをはじめ、動体撮影に好適なモードである。
【００３８】
風景用のシーンポジションモードは、建物や山等、昼間の風景撮影に好適なモードである。
【００３９】
人物用のシーンポジションモードは、肌色をより美しく写し出すことができるポートレート撮影に好適なモードである。
【００４０】
図３は、図１に示すデジタルカメラを背面から見た外観図である。
【００４１】
図３に示すデジタルカメラ１０の背面上部には、光学式ファインダ接眼窓１０＿２２と、撮影準備完了等に点灯したり撮影中に点滅したりするファインダランプ１０＿２３と、露出補正ボタン１０＿２４と、押下することにより広角側（ワイド側）にズームアップする広角ズームボタン１０＿２５と、押下することにより望遠側（テレ側）にズームアップする望遠ズームボタン１０＿２６と、撮影モードと再生モードを切り換えるモードスイッチ１０＿２７とが備えられている。
【００４２】
また、モードスイッチ１０＿２７の下側には、フォトモードボタン１０＿３０と、十字ボタン１０＿３１と、メニュー／ＯＫボタン１０＿３２と、ＤＩＳＰ／ＢＡＣＫボタン１０＿３３とが備えられている。さらに、デジタルカメラ１０の背面中央部には、液晶モニタ１０＿３４が備えられている。
【００４３】
フォトモードボタン１０＿３０は、ピクセル数，感度，色味，プリント枚数等を設定するためのボタンである。
【００４４】
十字ボタン１０＿３１は、液晶モニタ１０＿３４上にメニュー画面などが表示された場合には、その十字キー１０＿３１の上ボタン１０＿３１ａ、下ボタン１０＿３１ｂ、左ボタン１０＿３１ｃ、右ボタン１０＿３１ｄの４つのボタンを操作することによってメニューの選択を行なうことができる。また、左ボタン１０＿３１ｃは、マクロ撮影を行なうか否かを切り換えるためのボタンでもあり、一度押下するとマクロ撮影モードとなり、再度押下するとマクロ撮影モードが解除される。さらに、右ボタン１０＿３１ｄは、フラッシュボタンの役割を担うボタンでもあり、押下する毎に、オートフラッシュ→赤目低減フラッシュ→強制フラッシュ→フラッシュ禁止→スローシンクロ→オートフラッシュというようにフラッシュの状態を繰り返し切り換えるためのボタンでもある。
【００４５】
メニュー／ＯＫボタン１０＿３２は、撮影時や再生時における各種のメニューを表示したり、選択されたメニューを決定するためのボタンである。
【００４６】
ＤＩＳＰ／ＢＡＣＫボタン１０＿３３は、ＤＩＳＰボタンおよびＢＡＣＫボタン双方の役割を担うボタンである。ＤＩＳＰボタンの役割の場合は、液晶モニタ１０＿３４に表示された画面の状態を切り換えるためのボタンとなり、例えば撮影時に液晶モニタ１０＿３４の表示をオン，オフしたり、再生時に文字表示をオン，オフしたりする。一方、ＢＡＣＫボタンの役割の場合は、ＭＥＮＵ／ＯＫボタン１０＿３２等による操作状態を１つ前に戻したり取り消したりするためのボタンとなる。
【００４７】
液晶モニタ１０＿３４は、本発明にいう表示部の一例に相当し、デジタルカメラ１０で被写体光を捉えて生成された画像データに基づく画像、およびメッセージ表示用の文字データに基づくメッセージを表示する。
【００４８】
図４は、図１に示すデジタルカメラを下から見た外観図である。
【００４９】
デジタルカメラ１０には電池カバー１０＿１３が備えられており、この図４には電池カバー１０＿１３が開放された状態のデジタルカメラ１０が示されている。
【００５０】
また、デジタルカメラ１０には、電池１００が挿入される電池挿入部１０＿１４が設けられている。さらに、このデジタルカメラ１０には、記録メディア１０＿５４が挿入される記録メディアスロット１０＿１５が設けられている。また、このデジタルカメラ１０には、三脚用ねじ穴１０＿１６も設けられている。
【００５１】
図５は、図１に示すデジタルカメラの回路構成を示すブロック図である。
【００５２】
このデジタルカメラ１０には、前述した撮影レンズ１０＿１ａを構成するズームレンズ１０＿１ａ1とフォーカスレンズ１０＿１ａ2が備えられている。
【００５３】
また、このデジタルカメラ１０には、撮影レンズ１０＿１ａを経由して結像された被写体像をアナログ信号に変換する撮像素子（ＣＣＤと称する）１０＿４１が備えられている。
【００５４】
さらに、このデジタルカメラ１０には、ＣＣＤ１０＿４１からのアナログの画像データをＡ／Ｄ変換してデジタルの画像データを生成するＡ／Ｄ変換回路１０＿４２と、そのＡ／Ｄ変換回路１０＿４２からのデジタルの画像データをバスライン１０＿１００に伝達する画像入力コントローラ１０＿４３が備えられている。
【００５５】
また、このデジタルカメラ１０には、画像信号処理回路１０＿４４が備えられている。この画像信号処理回路１０＿４４は、詳細は後述するが、バスライン１０＿１００を介して入力されたデジタルの画像データおよび文字データを輝度（Ｙ）と色（Ｃ）とで表わされるＹＣ信号に変換する。
【００５６】
さらに、このデジタルカメラ１０には、バスライン１０＿１００を介して入力されたＹＣ信号を圧縮処理する圧縮処理回路１０＿４５と、バスライン１０＿１００を介して入力されたＹＣ信号をＮＴＳＣ（Ｎａｔｉｏｎａｌ  ＴＶ  Ｓｔａｎｄａｒｄｓ  Ｃｏｍｍｉｔｔｅｅ）方式のビデオ信号およびＲＧＢ信号に変換するビデオエンコーダ１０＿４６が備えられている。ビデオエンコーダ１０＿４６から出力されたＲＧＢ信号は、前述した液晶モニタ１０＿３４に供給されてその液晶モニタ１０＿３４で画像が表示される。
【００５７】
さらに、デジタルカメラ１０には、このデジタルカメラ１０全体の制御を行なうＣＰＵ１０＿４７と、ズームレンズ１０＿１ａ1，フォーカスレンズ１０＿１ａ2を駆動するモータドライバ１０＿４８，１０＿４９と、前述したシャッタボタン１０＿８とが備えられている。
【００５８】
ここで、ＣＰＵ１０＿４７は、本発明にいう取得部の役割を担うものでもあり、このＣＰＵ１０＿４７は、表示用の新たなメッセージを表わすメッセージ表示用画像データを、後述するようにして記録メディア１０＿５４を介して外部から取得する。詳細には、このＣＰＵ１０＿４７は、デジタルカメラ１０の機能追加用あるいは機能改良用のプログラムの取得とともにそのプログラムに関連したメッセージ表示用画像データを取得する。尚、このＣＰＵ１０＿４７は、バージョンアップ機能の定型文字列用のフォントデータパターンが格納されたＲＯＭを有する。
【００５９】
また、このデジタルカメラ１０には、デジタルの画像データに基づいて被写界輝度を検出するＡＥ検出回路１０＿５０が備えられている。
【００６０】
さらに、このデジタルカメラ１０には、デジタルの画像データに基づくコントラスト検知によりコントラスト最大点にピントを合わせるＡＦ検出回路１０＿５１が備えられている。
【００６１】
また、このデジタルカメラ１０には、デジタルの画像データが記憶されるメモリ（ＳＤＲＡＭ）１０＿５２と、圧縮処理回路１０＿４５で圧縮されたＹＣ信号を可搬型記録媒体である記録メディア１０＿５４に記録するためのメディアコントローラ１０＿５３が備えられている。ここで、メモリ１０＿５２は、本発明にいう記憶部の一例に相当し、このメモリ１０＿５２には、メッセージ表示用の文字データが記憶される。また、前述した液晶モニタ１０＿３４には、画像データに基づく画像およびメモリ１０＿５２に記憶された文字データに基づくメッセージに加え、さらに、ＣＰＵ１０＿４７で取得したメッセージ表示用画像データに基づくメッセージが表示される。
【００６２】
ここで、デジタルカメラ１０の機能追加用あるいは機能改良用のプログラムの取得とともにそのプログラムに関連したメッセージ表示用画像データを取得するにあたり、ユーザは、サービスセンタやインターネット経由で、このデジタルカメラ１０のプログラムを更新するためのバージョンアップ用ファイルを入手し、記録メディア１０＿５４に格納する。次いで、図４に示す電池カバー１０＿１３を開放して記録メディア１０＿５４を記録メディアスロット１０＿１５に挿入する。さらに、ＤＩＳＰ／ＢＡＣＫボタン１０＿３３を押した状態で電源ボタン１０＿１０を操作し、デジタルカメラ１０の電源をオンにして、バージョンアップ用ファイルを読み込む。すると、デジタルカメラ１０のプログラムを更新するためのバージョンアップ用メニューが液晶モニタ１０＿３４に表示される。
【００６３】
図６は、液晶モニタに表示された、プログラムを更新するためのバージョンアップ用メニューの一例を示す図である。
【００６４】
図６には、液晶モニタ１０＿３４に表示されたバージョンアップ用メニューが示されている。このメニューは、上から順に、文字情報「バージョンアップ」、文字情報「現在：ＶＥＲ．１．００」、文字情報「→：ＶＥＲ．１．０１」、文字情報「更新しますか？」、文字情報「実行  ←  →やめる」、および文字情報「機能が追加・改善されます」を有する。尚、メニュー上部に表示される内容（ここでは「バージョンアップ」）は、バージョンアップする内容により異なり、例えば「撮影機能アップ」，「特殊機能追加」等がある。
【００６５】
一般に、デジタルカメラでメッセージを表示させるには、そのメッセージを構成している文字を抽出して、その文字のフォントデータパターンをＲＯＭに格納しておき、そのフォントデータパターンを読み出して組み合わせることによりそのメッセージを表示する。
【００６６】
図７は、図６に示すバージョンアップ用メニューのメッセージを表示するために必要な文字を示す図である。
【００６７】
図７には、図６に示すバージョンアップ用メニューのメッセージを表示するために必要な文字が示されている。従来の技術では、この図７に示すように、全ての文字の中からメッセージを表示するために必要な文字のみが予め抽出されて、そのフォントデータパターンがＲＯＭに格納される。しかし、プログラムのバージョンアップでは、現在搭載されていない機能の追加等もある。ここで、文字の抽出時点では追加される機能が決定されていない場合がある。その場合、バージョンアップ機能用のメッセージを表示させたくても、そのメッセージを表示するために必要なフォントデータパターンがＲＯＭに格納されておらず、従って従来の技術ではメッセージを表示させることはできないという問題がある。
【００６８】
本実施形態では、上述したようにして入手したプログラムを更新するためのバージョンアップ用ファイルには、必要なメッセージを表示させるためのデータが画像データとして含まれている。
【００６９】
図８は、液晶モニタの表示構造を示す図である。
【００７０】
液晶モニタ１０＿３４は、１層目の画面と２層目の画面を有する。１層目の画面には文字データに基づくメッセージが表示され、２層目の画面には画像データに基づく画像が表示される。従って、この液晶モニタ１０＿３４には、最終的に、１層目の画面と２層目の画面とが合成された２層分の画面が表示される。
【００７１】
一般に、プログラムを更新するためのバージョンアップ用メニューは、例えば図６に示すように文字情報からなるメッセージである。このため、２層目の画面には画像が表示されることはない。ここで、図６に示すバージョンアップ用メニューにおいて、「バージョンアップ」の部分に、「バージョンアップ」に代えて「撮影機能アップ」と表示したい場合、従来では、この「撮影機能アップ」のフォントデータパターンがＲＯＭに登録されていなければ表示させることはできない。本実施形態では、入手したプログラムを更新するためのバージョンアップ用ファイルに、必要なメッセージを表示させるためのデータが画像データ（「撮影機能アップ」を表わす画像データ）として含まれており、「バージョンアップ」の部分が画像として取り扱われて、２層目の画面に表示される。以下、図９、図１０を参照して説明する。
【００７２】
図９は、液晶モニタに表示された、１層目の画面と２層目の画面を示す図である。
【００７３】
図９（ａ）に示す液晶モニタ１０＿３４には、１層目の画面が表示されている。この１層目の画面には、バージョンアップ用メニューを構成する文字情報「現在：ＶＥＲ．１．００」、文字情報「→：ＶＥＲ．１．０１」、文字情報「更新しますか？」、および文字情報「実行  ←  →やめる」が表示されている。
【００７４】
一方、図９（ｂ）に示す液晶モニタ１０＿３４には、２層目の画面が表示されている。この２層目の画面には、前述した図６に示す「バージョンアップ」，「機能が追加・改善されます」に代わる「撮影機能アップ」，「ワイド機能が追加されます」が表示されている。これら「撮影機能アップ」，「ワイド機能が追加されます」は、入手したプログラムを更新するためのバージョンアップ用ファイルに画像データとして含まれている。
【００７５】
図１０は、図９に示す液晶モニタにおいて、１層目の画面と２層目の画面との２層分の画面が合成された画像を示す図である。
【００７６】
図１０に示す液晶モニタ１０＿３４には、図９（ａ）に示す１層目の画面と、図９（ｂ）に示す２層目の画面との２層分の画面が合成された画像が表示されている。このように本実施形態では、新たな文字情報「撮影機能アップ」，「ワイド機能が追加されます」が画像として取り扱われるため、これら「撮影機能アップ」，「ワイド機能が追加されます」のフォントデータパターンがＲＯＭに登録されていない場合であっても、液晶モニタ１０＿３４に表示させることができる。
【００７７】
図１１は、第１実施形態のデジタルカメラにおいて、記録メディアに格納されるバージョンアップ用ファイルの構造を示す図である。
【００７８】
図１１に示すバージョンアップ用ファイルＦ１は、ビットマップデータからなるファイルであり、ヘッダ情報（カメラの機種名やバージョン情報）Ｆ１１と、メッセージ表示用画像データＦ１２と、バージョンアップ用プログラムコードＦ１３とから構成されている。ここで、メッセージ表示用画像データＦ１２は、文字情報「撮影機能アップ」および文字情報「ワイド機能が追加されます」を有する。このように、新たな文字情報「撮影機能アップ」，「ワイド機能が追加されます」をビットマップデータからなる画像として取り扱って液晶モニタ１０＿３４に表示させる。
【００７９】
図１２は、図５に示すデジタルカメラを構成するメモリおよび画像信号処理回路の詳細を示す図である。
【００８０】
メモリ（ＳＤＲＡＭ）１０＿５２は、文字表示層（１層目）用の文字表示メモリと画像表示層（２層目）用の画像表示メモリを有する。文字表示メモリ，画像表示メモリには、文字データ，画像データが格納される。これら文字データ，画像データは、画像信号処理回路１０＿４４を構成するラインバッファ１０＿４４ａ，１０＿４４ｄにＤＭＡ転送される。
【００８１】
ラインバッファ１０＿４４ａにＤＭＡ転送された文字データは、Ｙ色差変換部１０＿４４ｂで色差信号と混合比信号と輝度信号とに変換されて出力される。
【００８２】
一方、ラインバッファ１０＿４４ｄにＤＭＡ転送された画像データは、解像度変換部１０＿４４ｅで輝度信号と色差信号とに変換されて出力される。さらに、この輝度信号はゲイン調整・オフセット調整部１０＿４４ｆでゲインおよびオフセットが調整されて輪郭補正部１０＿４４ｇに入力される。輪郭補正部１０＿４４ｇでは、輝度信号の低域成分を減衰させるとともに高域成分を強調する輪郭補正が行なわれる。また、色差信号はゲイン調整部１０＿４４ｈでゲインが調整される。
【００８３】
画像・文字混合部１０＿４４ｃには、Ｙ色差変換部１０＿４４ｂからの文字データの色差信号と混合比信号が入力される。また、画像・文字混合部１０＿４４ｃには、Ｙ色差変換部１０＿４４ｂからの文字データの輝度信号と輪郭補正部１０＿４４ｇからの画像データの輝度信号からなる輝度信号が入力される。さらに、画像・文字混合部１０＿４４ｃには、ゲイン調整部１０＿４４ｈからの画像データの色差信号が入力される。画像・文字混合部１０＿４４ｃは、これら色差信号および輝度信号を混合比信号に基づいて混合し、輝度信号および色差信号を同期信号加算部１０＿４４ｉおよびクロマ変調部１０＿４４ｊに出力する。
【００８４】
同期信号加算部１０＿４４ｉは、入力された輝度信号に同期信号が加算された輝度信号を出力する。また、クロマ偏頂部１０＿４４ｊは、入力された色差信号に直交二相変調が施された色差信号を出力する。
【００８５】
ＹＣ混合部１０＿４４ｋは、同期信号加算部１０＿４４ｉからの輝度信号と、クロマ偏頂部１０＿４４ｊからの色差信号を混合して、輝度（Ｙ）と色（Ｃ）とで表わされるＹＣ信号に変換する。このＹＣ信号は、図５に示すビデオエンコーダ１０＿４６でビデオ信号およびＲＧＢ信号に変換され、変換されたＲＧＢ信号が液晶モニタ１０＿３４に供給されて文字データおよび画像データからなる画像が表示される。
【００８６】
図１３は、図５に示すメモリの構成を示す図である。
【００８７】
図１３に示すメモリ１０＿５２は、プログラムコードが格納される領域１０＿５２ａと、変数データが格納される領域１０＿５２ｂを有する。また、このメモリ１０＿５２は、画像データが格納される画像表示メモリ１０＿５２ｃと、文字データが格納される文字表示メモリ１０＿５２ｄと、撮影された画像データが格納される撮影画像バッファ１０＿５２ｅとを有する。
【００８８】
図１４は、図１３に示す画像表示メモリの構成を説明するための図である。
【００８９】
図１４に示す画像表示メモリ１０＿５２ｃの１ピクセルは、液晶モニタ１０＿３４上の１ピクセルに対応しており、１ピクセルはＲデータ，Ｇデータ，Ｂデータからなる３バイト構成となっている。これらＲデータ，Ｇデータ，Ｂデータは、図１４の左上を先頭に、左端→右端の順に、画像表示メモリ１０＿５２ｃ上に割り当てられている。即ち、最初のＲデータが画像表示メモリ１０＿５２ｃの先頭アドレスに割り当てられており、また最初のＧデータが画像表示メモリ１０＿５２ｃの先頭アドレス＋１に割り当てられており、さらに最初のＢデータが画像表示メモリ１０＿５２ｃの先頭アドレス＋２に割り当てられている。以下、同様であり、２番目のＲデータ，Ｇデータ，Ｂデータが画像表示メモリ１０＿５２ｃの先頭アドレス＋３，＋４，＋５に割り当てられており、最終番目のＲデータ，Ｇデータ，Ｂデータが画像表示メモリ１０＿５２ｃの先頭アドレス＋ｎ−２，＋ｎ−１，＋ｎに割り当てられている。
【００９０】
図１５は、第１実施形態のデジタルカメラにおいて、バージョンアップ用ファイルが読み込まれてバージョンアップ用メニューが液晶モニタに表示されるまでの処理ルーチンのフローを示す図である。
【００９１】
先ず、ステップＳ１１において、ユーザの操作によりアップデートの実行が指示される。具体的には、ユーザは、デジタルカメラ１０の記録メディアスロット１０＿１５に、バージョンアップ用ファイルが格納された記録メディア１０＿５４を挿入する。次いで、ＤＩＳＰ／ＢＡＣＫボタン１０＿３３を押した状態で電源ボタン１０＿１０を操作する。これによりデジタルカメラ１０に電源が投入される。
【００９２】
すると、ステップＳ１２において、記録メディア１０＿５４に格納されているバージョンアップ用ファイルからバージョンアップ用画像データ（メッセージ表示用画像データ）を読み込み、画像表示メモリ１０＿５２ｃに書き込む処理が行なわれる。
【００９３】
次に、ステップＳ１３において、バージョンアップ機能の定型文字列用のフォントデータパターンをＲＯＭから読み込み、文字表示メモリ１０＿５２ｄに書き込む処理が行なわれる。詳細には、定型文字列はプログラムコード領域、フォントデータパターンは変数・データ領域に格納され、それらを使用して文字表示メモリ１０＿５２ｄに書き込む処理が行なわれる。
【００９４】
さらに、ステップＳ１４において、画像表示層と文字表示層を重ねてＬＣＤ（液晶モニタ１０＿３４）に表示する処理が行なわれる。
【００９５】
図１６は、本発明のカメラの第２実施形態であるデジタルカメラの回路構成を示すブロック図である。
【００９６】
尚、このデジタルカメラ２０の外観図は、前述したデジタルカメラ１０の外観図と同じであるため、図示省略する。
【００９７】
図１６に示すデジタルカメラ２０の回路構成は、図５に示すデジタルカメラ１０の回路構成と比較し、ＣＰＵ１０＿４７がＣＰＵ２０＿４７に置き換えられている点と解凍部２０＿１が追加された点とが異なっている。
【００９８】
ＣＰＵ２０＿４７は、記録メディア１０＿５４に格納された圧縮形式のメッセージ表示用画像データを取得する。また、解凍部２０＿１は、ＣＰＵ２０＿４７が取得した圧縮形式のメッセージ表示用画像データを解凍する。
【００９９】
プログラムのバージョンアップ用ファイルをインターネット等を経由して記録メディア１０＿５４にダウンロードするにあたり、ファイルサイズは小さいほうが好ましい場合があり、その場合には「メッセージ表示用画像データ」をＪＰＥＧ（Ｊｏｉｎｔ  Ｐｈｏｔｏｇｒａｐｈｉｃ  Ｅｘｐｅｒｔｓ  Ｇｒｏｕｐ）アルゴリズムを採用したＪＰＥＧ圧縮方式等で圧縮した圧縮画像データとして、バージョンアップ用ファイルに格納しておき、デジタルカメラ２０に備えられた液晶モニタ１０＿３４に表示する際に、解凍部２０＿１で解凍（伸張）することとする。
【０１００】
図１７は、第２実施形態のデジタルカメラにおける記録メディアに格納されるバージョンアップ用ファイルの構造を示す図である。
【０１０１】
図１７に示すバージョンアップ用ファイルＦ２は、ヘッダ情報（カメラの機種名やバージョン情報）Ｆ２１と、メッセージ表示用画像データＦ２２と、バージョンアップ用プログラムコードＦ２３とから構成されている。ここで、メッセージ表示用画像データＦ２２は、ＪＰＥＧ圧縮方式で圧縮された圧縮画像データからなる文字情報「撮影機能アップ」および文字情報「ワイド機能が追加されます」である。
【０１０２】
図１８は、第２実施形態のデジタルカメラにおいて、バージョンアップ用ファイルが読み込まれてバージョンアップ用メニューが液晶モニタに表示されるまでの処理ルーチンのフローを示す図である。
【０１０３】
ステップＳ２１において、ユーザの操作によりアップデートの実行が指示される。具体的には、デジタルカメラ２０に、バージョンアップ用ファイルが格納された記録メディア１０＿５４を挿入し、ＤＩＳＰ／ＢＡＣＫボタン１０＿３３を押した状態で電源ボタン１０＿１０を操作して、デジタルカメラ２０の電源をオンにする。
【０１０４】
すると、ステップＳ２２において、記録メディア１０＿５４に格納されているバージョンアップ用ファイルからバージョンアップ用画像データ（ＪＰＥＧ圧縮方式で圧縮されたメッセージ表示用画像データ）を読み込み、さらに伸張して画像表示メモリ１０＿５２ｃに書き込む処理が行なわれる。
【０１０５】
次に、ステップＳ２３において、バージョンアップ機能の定型文字列用のフォントデータパターンをＲＯＭから読み込み、文字表示メモリ１０＿５２ｄに書き込む処理が行なわれる。詳細には、定型文字列はプログラムコード領域、フォントデータパターンは変数・データ領域に格納され、それらを使用して文字表示メモリに書き込む。
【０１０６】
さらに、ステップＳ２４において、画像表示層と文字表示層を重ねてＬＣＤ（液晶モニタ１０＿３４）に表示する処理が行なわれる。
【０１０７】
図１９は、本発明のカメラの第３実施形態であるデジタルカメラの回路構成を示すブロック図である。
【０１０８】
尚、このデジタルカメラ３０の外観図は、前述したデジタルカメラ１０の外観図と同じであるため、図示省略する。
【０１０９】
図１９に示すデジタルカメラ３０の回路構成は、図５に示すデジタルカメラ１０の回路構成と比較し、ＣＰＵ１０＿４７がＣＰＵ３０＿４７に置き換えられている点と描画部３０＿１が追加された点とが異なっている。
【０１１０】
ＣＰＵ３０＿４７は、液晶モニタ１０＿３４に表示される画像のうちの一部領域にのみ対応するメッセージ表示用画像データと、そのメッセージ表示用画像データの表示座標を表わす座標データとを取得する。
【０１１１】
また、描画部３０＿１は、そのメッセージ表示用画像データに基づくメッセージを上記座標データに基づく位置に配置した画像を描画する。
【０１１２】
第３実施形態では、さらにファイルサイズを縮小させるために、画像データに縦横サイズおよび表示位置を付加し、必要な画像データのみをデータファイルに格納することとする。
【０１１３】
図２０は、第３実施形態のデジタルカメラにおいて、記録メディアに格納されるバージョンアップ用ファイルの構造を示す図である。
【０１１４】
図２０に示すバージョンアップ用ファイルＦ３は、ヘッダ情報（カメラの機種名やバージョン情報）Ｆ３１と、圧縮データであるメッセージ表示用画像データＦ３２と、バージョンアップ用プログラムコードＦ３３とから構成されている。ここで、メッセージ表示用画像データＦ３２は、開始座標（０，０）、サイズ（６４０，４８）、圧縮画像データからなる文字情報「撮影機能アップ」、および開始座標（０，４３２）、サイズ（６４０，４８）、圧縮画像データからなる文字情報「ワイド機能が追加されます」からなる画像データを有する。このようなバージョンアップ用ファイルＦ３から、上記開始座標，サイズ，圧縮画像データを読み込み、指定された座標に画像を配置する。以下、詳細に説明する。
【０１１５】
図２１は、第３実施形態のデジタルカメラにおいて、バージョンアップ用ファイルが読み込まれてバージョンアップ用メニューが液晶モニタに表示されるまでの処理ルーチンのフローを示す図である。
【０１１６】
ステップＳ３１において、ユーザの操作によりアップデートの実行が指示される。具体的には、デジタルカメラ３０に、バージョンアップ用ファイルが格納された記録メディア１０＿５４を挿入し、ＤＩＳＰ／ＢＡＣＫボタン１０＿３３を押した状態で電源ボタン１０＿１０を操作して、デジタルカメラ１０の電源をオンにする。
【０１１７】
すると、ステップＳ３２において、記録メディア１０＿５４に格納されているバージョンアップ用ファイルから圧縮データであるバージョンアップ用画像データ（ＪＰＥＧ圧縮方式で圧縮されたメッセージ表示用画像データ）を読み込み、さらに伸張して画像表示メモリ１０＿５２ｃに書き込む処理が行なわれる。詳細には、画像表示メモリ１０＿５２ｃには、開始座標Ｘ（０），開始座標Ｙ（０），幅Ｘ（６４０），幅Ｙ（４８）で指定される伸張画像データからなる「撮影機能アップ」、および開始座標Ｘ（０），開始座標Ｙ（４３２），幅Ｘ（６４０），幅Ｙ（４８）で指定される伸張画像データからなる「ワイド機能が追加されます」からなる画像データが格納される。このように、バージョンアップ用ファイルから画像データを読み込み、画像表示メモリ１０＿５２ｃの指定座標に書き込む。
【０１１８】
次に、ステップＳ３３において、バージョンアップ機能の定型文字列用のフォントデータパターンをＲＯＭから読み込み、文字表示メモリ１０＿５２ｄに書き込む処理が行なわれる。詳細には、定型文字列はプログラムコード領域、フォントデータパターンは変数・データ領域に格納され、それらを使用して文字表示メモリに書き込む。
【０１１９】
さらに、ステップＳ３４において、画像表示層と文字表示層を重ねてＬＣＤ（液晶モニタ１０＿３４）に表示する処理が行なわれる。
【０１２０】
図２２は、本発明のカメラの第４実施形態であるデジタルカメラの回路構成を示すブロック図である。
【０１２１】
尚、このデジタルカメラ４０の外観図は、前述したデジタルカメラ１０の外観図と同じであるため、図示省略する。
【０１２２】
図２２に示すデジタルカメラ４０の回路構成は、図５に示すデジタルカメラ１０の回路構成と比較し、ＣＰＵ１０＿４７がＣＰＵ４０＿４７に置き換えられている点と選択部４０＿１，描画部４０＿２が追加された点とが異なっている。
【０１２３】
ここでは、メモリ１０＿５２には、複数の各言語に対応するメッセージ表示用の文字データが記憶される。また、選択部４０＿１は、複数の言語の中から所望の言語を選択する。
【０１２４】
ＣＰＵ４０＿４７は、取得可能な複数の各言語に対応するメッセージ表示用画像データの中から選択部４０＿１で選択されている言語のメッセージ表示用画像データを選択的に取得する。また、ＣＰＵ４０＿４７は、液晶モニタ１０＿３４に１つの画像として表示されるメッセージのうち、メモリ１０＿５２に記憶されている文字データによっては表示不能な一部分のメッセージを表わすメッセージ表示用画像データを取得する。
【０１２５】
描画部４０＿２は、メモリ１０＿５２に記憶されている文字データとＣＰＵ４０＿４７で取得したメッセージ表示用画像データとを組み合わせたメッセージ表示用画像を描画する。このようにすると、取得した表示不能な一部分のメッセージを表わすメッセージ表示用画像データを、メモリ１０＿５２に記憶されている文字データで置き換えることができる。従って、外部から取得するメッセージ表示用画像データを削減することができる。
【０１２６】
第４実施形態のデジタルカメラ４０は、複数の言語に対応したカメラであり、液晶モニタ１０＿３４の１層目の画面に表示されるメッセージを「日本語」，「英語」等の複数の言語から選択して表示させることができる。
【０１２７】
図２３は、従来のデジタルカメラにおいて、液晶モニタに表示された、プログラムを更新するためのバージョンアップ用メニューの一例を示す図である。
【０１２８】
図２３には、従来のデジタルカメラの液晶モニタに表示されたバージョンアップ用メニューが示されている。ここでは、メッセージ表示言語として「英語」が選択されているものとする。
【０１２９】
ここで、プログラムのバージョンアップ用ファイルに、例えば日本語のみが含まれている場合には、この図２３に示すように、英語の文字情報である「Ｃｕｒｒｅｎｔ：ＶＥＲ．１．００」、「→：ＶＥＲ．１．０１」、「ＵＰＤＡＴＥ？」、「ＹＥＳ  ←  →ＮＯ」とともに、日本語の文字情報「機能アップ」および「ワイド機能が追加されます」が表示されてしまう。
【０１３０】
第４実施形態のデジタルカメラ４０では、プログラムのバージョンアップ用ファイルに、多言語に対応したメッセージ表示用の画像データが含まれている。このため、液晶モニタ１０＿３４の１層目の画面に表示されるメッセージの言語に応じて、表示させる画像データを選択することができる。
【０１３１】
図２４は、第４実施形態のデジタルカメラにおいて、記録メディアに格納されるバージョンアップ用ファイルの構造を示す図である。
【０１３２】
図２４（ａ）に示すバージョンアップ用ファイルＦ４は、ヘッダ情報（カメラの機種名やバージョン情報）Ｆ４１と、日本語メッセージ表示用画像データＦ４２と、英語メッセージ表示用画像データＦ４３と、バージョンアップ用プログラムコードＦ４４とから構成されている。
【０１３３】
ここで、液晶モニタ１０＿３４の１層目の画面に表示されるメッセージの言語が「日本語」である場合は、図２４（ｂ）に示すように、液晶モニタ１０＿３４の２層目の画面には、画像データからなる「撮影機能アップ」および「ワイド機能が追加されます」が表示される。一方、液晶モニタ１０＿３４の１層目の画面に表示されるメッセージの言語が「英語」である場合は、図２４（ｃ）に示すように、液晶モニタ１０＿３４の２層目の画面には、画像データからなる「Ｕｐｄａｔｅ  Ｃａｍｅｒａ  Ｆｕｎｃｔｉｏｎ」および「Ａｐｐｅｎｄ  Ｗｉｄｅ  Ｆｕｎｃｔｉｏｎ」が表示される。
【０１３４】
ここで、例えば、図２４（ｂ）に示す「撮影機能アップ」を表わす画像データの取得に代えて、「撮影」の部分を表示不能な一部分として取得し、この部分をメモリ１０＿５２に記憶されている文字データ（例えば、「撮影」，「ズーム」等）で置き換えることにより、外部から取得するメッセージ表示用画像データを削減することができる。
【０１３５】
図２５は、第４実施形態のデジタルカメラにおいて、バージョンアップ用ファイルが読み込まれてバージョンアップ用メニューが液晶モニタに表示されるまでの処理ルーチンのフローを示す図である。
【０１３６】
先ず、ステップＳ４１において、デジタルカメラ４０の電源をオンして、予めユーザ操作により言語を選択しておく。ここでは、メニュー／ＯＫボタン１０＿３２を操作して「ＳＥＴＵＰ」メニューを液晶モニタ１０＿３４に表示して、言語／Ｌａｎｇとして「Ｅｎｇｌｉｓｈ」（英語）を選択する。尚、英語以外に、日本語、フランス語、ドイツ語が選択可能である。その後、デジタルカメラ４０の電源をオフする。
【０１３７】
次に、ステップＳ４２において、ユーザの操作によりアップデートの実行が指示される。具体的には、デジタルカメラ４０に、バージョンアップ用ファイルが格納された記録メディア１０＿５４を挿入し、ＤＩＳＰ／ＢＡＣＫボタン１０＿３３を押した状態で電源ボタン１０＿１０を操作してデジタルカメラ４０の電源をオンにする。
【０１３８】
すると、ステップＳ４３において、記録メディア１０＿５４に格納されているバージョンアップ用ファイルからバージョンアップ用画像データ（メッセージ表示用画像データ）を読み込み、さらに画像表示メモリ１０＿５２ｃに書き込む処理が行なわれる。詳細には、画像表示メモリ１０＿５２ｃには、ステップＳ４１において予め設定されている言語（ここでは英語）に従って、記録メディア１０＿５４に格納されているバージョンアップ用ファイルからバージョンアップ用画像データ（英語）が選択されて、画像表示メモリ１０＿５２ｃに書き込む処理が行なわれる。
【０１３９】
次に、ステップＳ４４において、バージョンアップ機能の定型文字列用のフォントデータパターンをＲＯＭから読み込み、文字表示メモリ１０＿５２ｄに書き込む処理が行なわれる。詳細には、定型文字列はプログラムコード領域、フォントデータパターンは変数・データ領域に格納され、それらを使用して文字表示メモリに書き込む。この際、選択されている言語（英語）に応じて定型文字列を変更する手段については既にデジタルカメラ４０に搭載されている機能を使用する。この機能により表示した文字表示と今回新規に追加した画像データ表示の言語を一致させる。
【０１４０】
さらに、ステップＳ４５において、画像表示層と文字表示層を重ねてＬＣＤ（液晶モニタ１０＿３４）に表示する処理が行なわれる。
【０１４１】
尚、上述した本実施形態では、デジタルカメラの例で説明したが、これに限られるものではなく、本発明は、携帯電話に搭載されるカメラやビデオカメラ等であってもよい。
【図面の簡単な説明】
【０１４２】
【図１】本発明のカメラの第１実施形態であるデジタルカメラを前面斜め上から見た外観斜視図である。
【図２】図１に示すデジタルカメラを上から見た外観図である。
【図３】図１に示すデジタルカメラを背面から見た外観図である。
【図４】図１に示すデジタルカメラを下から見た外観図である。
【図５】図１に示すデジタルカメラの回路構成を示すブロック図である。
【図６】液晶モニタに表示された、プログラムを更新するためのバージョンアップ用メニューの一例を示す図である。
【図７】図６に示すバージョンアップ用メニューのメッセージを表示するために必要な文字を示す図である。
【図８】液晶モニタの表示構造を示す図である。
【図９】液晶モニタに表示された、１層目の画面と２層目の画面を示す図である。
【図１０】図９に示す液晶モニタにおいて、１層目の画面と２層目の画面との２層分の画面が合成された画像を示す図である。
【図１１】第１実施形態のデジタルカメラにおいて、記録メディアに格納されるバージョンアップ用ファイルの構造を示す図である。
【図１２】図５に示すデジタルカメラを構成するメモリおよび画像信号処理回路の詳細を示す図である。
【図１３】図５に示すメモリの構成を示す図である。
【図１４】図１３に示す画像表示メモリの構成を説明するための図である。
【図１５】第１実施形態のデジタルカメラにおいて、バージョンアップ用ファイルが読み込まれてバージョンアップ用メニューが液晶モニタに表示されるまでの処理ルーチンのフローを示す図である。
【図１６】本発明のカメラの第２実施形態であるデジタルカメラの回路構成を示すブロック図である。
【図１７】第２実施形態のデジタルカメラにおける記録メディアに格納されるバージョンアップ用ファイルの構造を示す図である。
【図１８】第２実施形態のデジタルカメラにおいて、バージョンアップ用ファイルが読み込まれてバージョンアップ用メニューが液晶モニタに表示されるまでの処理ルーチンのフローを示す図である。
【図１９】本発明のカメラの第３実施形態であるデジタルカメラの回路構成を示すブロック図である。
【図２０】第３実施形態のデジタルカメラにおいて、記録メディアに格納されるバージョンアップ用ファイルの構造を示す図である。
【図２１】第３実施形態のデジタルカメラにおいて、バージョンアップ用ファイルが読み込まれてバージョンアップ用メニューが液晶モニタに表示されるまでの処理ルーチンのフローを示す図である。
【図２２】本発明のカメラの第４実施形態であるデジタルカメラの回路構成を示すブロック図である。
【図２３】従来のデジタルカメラにおいて、液晶モニタに表示された、プログラムを更新するためのバージョンアップ用メニューの一例を示す図である。
【図２４】第４実施形態のデジタルカメラにおいて、記録メディアに格納されるバージョンアップ用ファイルの構造を示す図である。
【図２５】第４実施形態のデジタルカメラにおいて、バージョンアップ用ファイルが読み込まれてバージョンアップ用メニューが液晶モニタに表示されるまでの処理ルーチンのフローを示す図である。
【符号の説明】
【０１４３】
１０，２０，３０，４０  デジタルカメラ
１０＿１  ズーム鏡胴
１０＿１ａ  撮影レンズ
１０＿１ａ1  ズームレンズ
１０＿１ａ2  フォーカスレンズ
１０＿２  フラッシュ発光装置
１０＿３  フラッシュ調光センサ
１０＿４  光学式ファインダ対物窓
１０＿５  グリップ
１０＿６  セルフタイマランプ
１０＿７  マクロボタン
１０＿８  シャッタボタン
１０＿９  モードダイヤル
１０＿１０  電源ボタン
１０＿１１  スピーカ
１０＿１２  ポップアップボタン
１０＿１３  電池カバー
１０＿１４電池挿入部
１０＿１５  記録メディアスロット
１０＿１６  三脚用ねじ穴
１０＿２２  光学式ファインダ接眼窓
１０＿２３  ファインダランプ
１０＿２４  露出補正ボタン
１０＿２５  広角ズームボタン
１０＿２６  望遠ズームボタン
１０＿２７  モードスイッチ
１０＿３０  フォトモードボタン
１０＿３１  十字ボタン
１０＿３１ａ  上ボタン
１０＿３１ｂ  下ボタン
１０＿３１ｃ  左ボタン
１０＿３１ｄ  右ボタン
１０＿３２  メニュー／ＯＫボタン
１０＿３３  ＤＩＳＰ／ＢＡＣＫボタン
１０＿３４  液晶モニタ
１０＿４１  撮像素子（ＣＣＤ）
１０＿４２  Ａ／Ｄ変換回路
１０＿４３  画像入力コントローラ
１０＿４４  画像信号処理回路
１０＿４４  画像信号処理回路
１０＿４４ａ，１０＿４４ｄ  ラインバッファ
１０＿４４ｂ  Ｙ色差変換部
１０＿４４ｃ  画像・文字混合部
１０＿４４ｅ  解像度変換部
１０＿４４ｆ  ゲイン調整・オフセット調整部
１０＿４４ｇ  輪郭補正部
１０＿４４ｈ  ゲイン調整部
１０＿４４ｉ  同期信号加算部
１０＿４４ｊ  クロマ変調部
１０＿４４ｋ  ＹＣ混合部
１０＿４５  圧縮処理回路
１０＿４６  ビデオエンコーダ
１０＿４７，２０＿４７，３０＿４７  ＣＰＵ
１０＿４８，１０＿４９  モータドライバ
１０＿５０  ＡＥ検出回路
１０＿５１  ＡＦ検出回路
１０＿５２  メモリ（ＳＤＲＡＭ）
１０＿５２ａ，１０＿５２ｂ  メモリの領域
１０＿５２ｃ  画像表示メモリ
１０＿５２ｄ  文字表示メモリ
１０＿５２ｅ  撮影画像バッファ
１０＿５３  メディアコントローラ
１０＿５４  記録メディア
２０＿１  解凍部
３０＿１，４０＿２  描画部
４０＿１  選択部
１０＿１００  バスライン
１００  電池
【図１】
2006211245.tif 000003
【図２】
2006211245.tif 000004
【図３】
2006211245.tif 000005
【図４】
2006211245.tif 000006
【図５】
2006211245.tif 000007
【図６】
2006211245.tif 000008
【図７】
2006211245.tif 000009
【図８】
2006211245.tif 000010
【図９】
2006211245.tif 000011
【図１０】
2006211245.tif 000012
【図１１】
2006211245.tif 000013
【図１２】
2006211245.tif 000014
【図１３】
2006211245.tif 000015
【図１４】
2006211245.tif 000016
【図１５】
2006211245.tif 000017
【図１６】
2006211245.tif 000018
【図１７】
2006211245.tif 000019
【図１８】
2006211245.tif 000020
【図１９】
2006211245.tif 000021
【図２０】
2006211245.tif 000022
【図２１】
2006211245.tif 000023
【図２２】
2006211245.tif 000024
【図２３】
2006211245.tif 000025
【図２４】
2006211245.tif 000026
【図２５】
2006211245.tif 000027